(57)【特許請求の範囲】
【請求項１】
発熱管部と、この発熱管部の両側に続き端部に圧潰封止部を有する電流導入管部とを有するランプが、発熱管部の管軸に平行になるように複数並べられた加熱装置において、
前記ランプの発熱管部と電流導入管部は、同一平面上であって、略コの字状に配置され、
前記圧潰封止部は、その圧潰封止部の偏平な平面を含む平面が、前記発熱管部と電流導入管部を含む平面と交差するように形成され、
前記圧潰封止部の偏平な平面を含む平面と、前記発熱管部と電流導入管部を含む平面とが交差する角度をαとしたとき、
αは、０°＜α＜９０°の範囲である
ことを特徴とする加熱装置。
【発明の詳細な説明】
【０００１】
【発明の属する技術分野】
本発明は、食品包装用のトレー容器や、電気冷蔵庫の内箱など樹脂シートを真空成型する際に、樹脂シートを加熱するための加熱装置に関するものである。
【０００２】
【従来の技術】
従来から、食品包装用のトレー容器や電気冷蔵庫の内箱などに利用される樹脂シートを加熱するための加熱装置は、その熱源として、内部にフィラメントを有するランプが利用されている。
そして、ランプの発熱領域である発熱管部を長くし、発熱管部を樹脂シートに平行になるように配置して、効率良く赤外線を放射するように両端封止型の白熱ランプが利用されている。
【０００３】
最近では、１回の加熱作業で大量の食品用のトレー容器を作り出すために大面積の樹脂シートが利用されるようになってきた。また、冷蔵庫の大型化に伴い内箱も大型化され、大きな内箱を形成するための大面積の樹脂シートが利用されるようになってきた。
【０００４】
このように、大面積の樹脂シートを加熱する場合、樹脂シートの温度が不均一になりやすい傾向があり、樹脂シートの温度が不均一な状態のままで、樹脂シートを金型に真空吸引して成型すると、樹脂シートが忠実に金型に沿って変形せず、所望の形状にならないという問題があった。
【０００５】
このような問題を解決するために、加熱装置の熱源であるランプを複数個使用し、大面積の樹脂シートを複数の領域に分割して加熱制御する装置が開発されている。
このような装置では、図１に示すような略コの字状のランプが利用されている。
【０００６】
図１では、ランプは、発熱管部１１と、この発熱管部１１の両側に続き端部に圧潰封止部１３を有する電流導入管部１２よりなるものである。１３ａは圧潰封止部１３の扁平な平面を含む平面である。
【０００７】
発光管部１１内にはフィラメント２０を有し、フィラメント２０の両端には内部リード棒２１接続されており、この内部リード棒２１は電流導入管１２内に配置されている。そして、内部リード棒２１の端部は圧潰封止部１３に気密に埋設された金属箔２２に接続されている。
そして、発熱管部１１と電流導入管部１２は、同一平面上であって、略コの字状になるように曲げられている。
【０００８】
このようにランプをコの字状にすることにより、発熱に寄与しない圧潰封止部１３が隣接するランプ同士で互いに干渉せず、しかも、熱源である発熱管部１１から圧潰封止部１３を離して圧潰封止部１３の熱劣化を防止している。
そして、発熱管部１１を樹脂シートに対向するように配置し、発熱管部１１から放射される赤外線により樹脂シートを加熱するものである。
【０００９】
このようなランプを用いた加熱装置は、複数のランプが発熱管部の管軸に平行になるように配置されている。
一例を挙げると、２１本のランプが、それぞれ発熱管部の管軸と平行になるように配置されている。
【００１０】
図２は、樹脂シートとランプの発熱管部の位置関係を示す図である。
ランプは便宜上発熱管部１１のみを示し、それぞれの発熱管部１１の位置関係がわかるように描かれている。そして、樹脂シートＳの大きさと複数のランプの発熱管部１１との関係がわかるように、樹脂シートＳの輪郭を合わせて描いている。
図２に示すように、それぞれのランプの発熱管部１１が樹脂シートＳの任意の領域を主に加熱するものであり、それぞれのランプの入力を制御することにより、樹脂シートＳを均一に加熱することができるものである。
【００１１】
図３は、図１中のＡ−Ａ矢印断面図を示すものである。
図３に示すように、図１に示すランプは、圧潰封止部１３の偏平な平面１３ａを含む平面Ｙが、発熱管部１１と電流導入管部１２とによって形成される平面Ｈと平行になっている。つまり、図１に示すように、圧潰封止部１３の扁平な平面１３ａが管軸Ｘ方向に伸びた状態になる。
この結果、図３に示すように、発光管１１の端部１１０から封止部１３の一部が長さｇだけ突出した状態になる。
【００１２】
従って、図４に示すように、管軸方向に沿って複数のランプを並べた場合、圧潰封止部１３が互いに干渉し合うので、隣接するランプを近づけることができず、ランプ間のデットスペースＤが大きくなり、樹脂シートを加熱する際、このデットスペースＤの存在により、樹脂シートの温度が不均一になるという問題があった。また、樹脂シートにおけるこのデットスペースＤの影響をなくすために、樹脂シートとランプとの離間距離を大きくすることも考えられるが、このような場合、効率良く樹脂シートを加熱することができなった。
【００１３】
図５は、図１に示すランプと封止部１３の向きのみが異なる構成のランプである。
図６は、図５中のＡ−Ａ矢印断面図を示すものである。
図６に示すように、図５に示すランプは、圧潰封止部１３の偏平な平面１３ａを含む平面Ｙが、発熱管部１１と電流導入管部１２とによって形成される平面Ｈと直交するようになっている。つまり、図５に示すように、圧潰封止部１３の扁平な平面１３ａが管軸Ｘと直交する方向（図５では紙面に垂直な方向）に伸びた状態になる。
この結果、図６に示すように、圧潰封止部１３の幅Ｅ１が発熱管部１１の幅Ｆより大きくなり、圧潰封止部１３の一部が発熱管部１１より、かなり突出した状態になる。
【００１４】
この結果、図７に示すように、管軸と直交する方向に沿って複数のランプを並べた場合、圧潰封止部１３が互いに干渉し合うので、隣接するランプを近づけることができず、ランプ間のデットスペースｄが大きくなり、樹脂シートを加熱する際、このデットスペースｄの存在により、樹脂シートの温度が不均一になるという問題があった。また、樹脂シートにおけるこのデットスペースｄの影響をなくすために、樹脂シートとランプとの離間距離を大きくすることも考えられるが、このような場合、効率良く樹脂シートを加熱することができなった。
【００１５】
さらに、このようなランプを加熱装置に固定する場合、図１では紙面に垂直方向、図５では紙面の左右方向に応力が加わる傾向が強く、もともと、ランプは、圧潰封止部１３の偏平な平面１３ａに直交する方向の力に弱いので、圧潰封止部１３の偏平な平面１３ａに直交する方向に応力が加わると容易に圧潰封止部１３と電流導入管部１２の境界部分でランプが破損することがある。
【００１６】
本発明の目的は、以上のような事情に基づいてなされたものであって、隣接するランプの圧潰封止部同士の干渉を少なくして、隣接するランプ同士のデットスペースを少なくして、樹脂シートを均一に加熱することができる加熱装置を提供することにある。
さらには、ランプを加熱装置に取り付け固定する場合に、ランプの破損を防止することができる加熱装置を提供することにある。
【００１７】
【課題を解決するための手段】
請求項１に記載の加熱装置は、発熱管部と、この発熱管部の両側に続き端部に圧潰封止部を有する電流導入管部とを有するランプが、発熱管部の管軸に平行になるように複数並べられた加熱装置において、前記ランプの発熱管部と電流導入管部は、同一平面上であって、略コの字状に配置され、前記圧潰封止部は、その圧潰封止部の偏平な平面を含む平面が、前記発熱管部と電流導入管部を含む平面と交差するように形成され、前記圧潰封止部の偏平な平面を含む平面と、前記発熱管部と電流導入管部を含む平面とが交差する角度をαとしたとき、αは、０°＜α＜９０°の範囲であることを特徴とする。
【００１８】
【発明の実施の形態】
図８は、本発明の加熱装置に利用されるランプの正面図であり、図９は、図８中Ａ−Ａ矢印方向からみた断面図である。
図８に示すように、本発明の加熱装置に利用されるランプは、発熱管部１１と、この発熱管部１１の両側に続き端部に圧潰封止部１３を有する電流導入管部１２とを有するものである。１３ａは圧潰封止部１３の扁平な平面を含む平面である。
【００１９】
発光管部１１内にはフィラメント２０を有し、フィラメント２０の両端には内部リード棒２１接続されており、この内部リード棒２１は電流導入管１２内に配置されている。そして、内部リード棒２１の端部は圧潰封止部１３に気密に埋設された金属箔２２に接続されている。
【００２０】
そして、発熱管部１１と電流導入管部１２は、同一平面上であって、略コの字状に配置され、図９に示すように、圧潰封止部１３は、その圧潰封止部１３の偏平な平面１３ａを含む平面Ｙが、発熱管部１１と電流導入管部１２を含む平面Ｈと交差するように形成されている。
【００２１】
そして、図９に示すように、圧潰封止部１３は、その圧潰封止部１３の偏平な平面ａを含む平面Ｙが、発熱管部１１と電流導入管部１２を含む平面Ｈと交差するように形成されている。
その交差角度をαとしたとき、αは、０°＜α＜９０°の範囲である。図では、αは、４５°である。
この結果、図９に示すように、圧潰封止部１３の幅Ｅは、発熱管部１１の幅Ｆに近づけることがことができる。また、図９に示すように、発熱管部１１の端部１１０より突出する圧潰封止部の長さＧを短くすることができる。
【００２２】
図１０は、本発明のランプを複数加熱装置に組み込んだ場合の一部のランプを示す図である。
ランプの組み込み方は、全てのランプが、発熱管部１１の管軸と平行になるように組み込んだものである。具体的には図２に示すような発熱管１１の配置状態となるようにランプを組み込んだものである。
【００２３】
図１０に示すように、隣接するランプの圧潰封止部１３同士の干渉程度を従来に比べ小さくすることができるので、隣接するランプを近づけることができ、発熱管部１１間のデットスペースＤ、ｄを従来に比べ小さくでき、樹脂シートを均一に加熱することができる。また、樹脂シートの温度均一化のために、樹脂シートとランプとの離間距離を大きくとる必要もないので、効率良く樹脂シートを加熱することができる。
【００２４】
さらに、図９に示すように、圧潰封止部１３は、その圧潰封止部１３の偏平な平面１３ａを含む平面Ｙが、発熱管部１１と電流導入管部１２を含む平面Ｈと交差するように形成されているので、このようなランプを装置に固定する場合、ランプに応力が加わっても、ランプの破損を防止することができる。
【００２５】
以上樹脂シートの加熱について説明したが、本発明の加熱装置は、半導体ウエハの加熱にも利用できるものである。また、ランプの形状は、略コの字状と規定しているが、略コの字状の中には略Ｕの字状も含むものである。
【００２６】
【発明の効果】
本発明の加熱装置によれば、隣接するランプの圧潰封止部同士の干渉を少なくして、隣接するランプ同士のデットスペースを少なくして樹脂シートを均一に加熱することができる。
さらには、ランプを加熱装置に取り付け固定する場合に、ランプの破損を防止することができる。
【図面の簡単な説明】
【図１】従来のランプの説明図である。
【図２】樹脂シートとランプの発熱管部の位置関係を示す図である。
【図３】図１中Ａ−Ａ矢印方向からみた断面図である。
【図４】従来の加熱装置であって、管軸方向に沿って複数のランプが並べられており、その発熱管部の位置関係を示す図である。
【図５】従来のランプの説明図である。
【図６】図５中Ａ−Ａ矢印方向からみた断面図である。
【図７】従来の加熱装置であって、管軸方向と直交する方向に複数のランプが並べられており、その発熱管部の位置関係を示す図である。
【図８】本発明のランプの説明図である。
【図９】図８中Ａ−Ａ矢印方向からみた断面図である。
【図１０】本発明の複数のランプを加熱装置に組み込んだ場合の一部のランプを示す図である。
【符号の説明】
１１    発熱管部
１２    電流導入管部
１３    圧潰封止部
１３ａ  圧潰封止部の扁平な平面
【図１】
0003861654.tif 000002
【図２】
0003861654.tif 000003
【図３】
0003861654.tif 000004
【図４】
0003861654.tif 000005
【図５】
0003861654.tif 000006
【図６】
0003861654.tif 000007
【図７】
0003861654.tif 000008
【図８】
0003861654.tif 000009
【図９】
0003861654.tif 000010
【図１０】
0003861654.tif 000011